(57)【要約】【課題】太陽電池を利用して効率的な蓄電を実現することができる蓄電池システムおよび蓄電方法を提供する。【解決手段】蓄電池システムは、太陽電池とパワーコンディショナとの間に蓄電池を備える。【選択図】図１
2016103915.tif 000002
【特許請求の範囲】
【請求項１】
太陽電池とパワーコンディショナとの間に蓄電池を備える、蓄電池システム。
【請求項２】
前記太陽電池と前記蓄電池との間にＤＣ−ＤＣコンバーターを備える、請求項１に記載の蓄電池システム。
【請求項３】
前記太陽電池と前記蓄電池との間、または前記パワーコンディショナと前記蓄電池との間にＤＣ−ＡＣコンバーターを備える、請求項１または請求項２のいずれか１項に記載の蓄電池システム。
【請求項４】
前記蓄電池から前記太陽電池に電力を供給する、請求項１から請求項３のいずれか１項に記載の蓄電池システム。
【請求項５】
太陽電池とパワーコンディショナとの間に備えられた蓄電池に、前記太陽電池により発電された電力を蓄電する、蓄電方法。
【発明の詳細な説明】
【技術分野】
【０００１】
本発明は、蓄電池システムおよび蓄電方法に関する。
【背景技術】
【０００２】
太陽光発電および蓄電池の連携システムが知られている（特許文献１参照。）。
この連携システムでは、太陽光発電（ＰＶ）の電力をパワーコンディショナにより直流から交流に変換して出力する。この連携システムでは、太陽電池およびパワーコンディショナの接続部に対して外側に、蓄電池用電力変換器および蓄電池を備える。
【先行技術文献】
【特許文献】
【０００３】
【特許文献１】特開２０１４−１８３７１６号公報
【発明の概要】
【発明が解決しようとする課題】
【０００４】
しかしながら、上記のシステムの構成では、太陽光発電の電力がパワーコンディショナを通過した後に蓄電池に伝送されるため、直流電流を交流電流に変換した後に、再び交流電流を直流電流に変換して蓄電池を充電するため、放電ロス、あるいはシステムの大型化が発生する場合があった。
また、太陽光発電および蓄電池の連携システムでは、電圧（電力）の安定化、負荷への電力供給、ＰＩＤ（Potential Induced Degradation）の解消が問題となる場合があった。ＰＩＤは、太陽電池において漏れ電流が発生し、出力が低下する現象である。ＰＩＤは、例えば、塩害などにより発生する。
【０００５】
本発明は、このような事情を考慮してなされたもので、太陽電池を利用して効率的な蓄電を実現することができる蓄電池システムおよび蓄電方法を提供することを課題とする。
【課題を解決するための手段】
【０００６】
一態様として、太陽電池とパワーコンディショナとの間に蓄電池を備える、蓄電池システムである。
一態様として、蓄電池システムにおいて、前記太陽電池と前記蓄電池との間にＤＣ−ＤＣコンバーターを備える、構成が用いられてもよい。
一態様として、蓄電池システムにおいて、前記太陽電池と前記蓄電池との間、または前記パワーコンディショナと前記蓄電池との間にＤＣ−ＡＣコンバーターを備える、構成が用いられてもよい。
一態様として、蓄電池システムにおいて、前記蓄電池から前記太陽電池に電力を供給する、構成が用いられてもよい。
一態様として、太陽電池とパワーコンディショナとの間に備えられた蓄電池に、前記太陽電池により発電された電力を蓄電する、蓄電方法である。
【発明の効果】
【０００７】
本発明によれば、太陽電池を利用して効率的な蓄電を実現することができる。
【図面の簡単な説明】
【０００８】
【図１】本発明の一実施形態に係る蓄電池システムの概略的な構成を示すブロック図である。
【図２】（Ａ）、（Ｂ）および（Ｃ）はピークカットモードを説明するための図である。
【図３】出力安定化モードを説明するための図である。
【図４】出力平滑化モードを説明するための図である。
【図５】独立電源モードを説明するための図である。
【図６】仮想独立電源モードを説明するための図である。
【図７】夜間シフトモードを説明するための図である。
【発明を実施するための形態】
【０００９】
以下、図面を参照し、本発明の実施形態に係る蓄電池システムおよび蓄電方法について説明する。
図１は、本発明の一実施形態に係る蓄電池システム１の概略的な構成を示すブロック図である。
本実施形態に係る蓄電池システム１は、例えば、家庭用、企業用、あるいは工場内用などに適用することが可能である。
【００１０】
蓄電池システム１は、太陽光発電（ＰＶ：Photovoltaics）モジュール１１と、蓄電池設備１２と、パワーコンディショナ（ＰＣＳ：Power Conditioner System）１３と、屋内負荷１４と、電流検出部１５と、系統（電力系統）１６と、屋内負荷２１を備える。
蓄電池設備１２は、ＤＣ（Direct Current）−ＤＣコンバーター３１と、ＭＰＰＴ（Maximum Power Point Tracking）制御回路３２と、系統切換回路３３と、充電回路３４と、蓄電池充放電切換回路３５と、蓄電池３６と、蓄電池３７と、放電回路３８と、昇圧回路３９と、ＤＣ−ＡＣ（Alternating Current）コンバーター４０と、充放電制御部４１を備える。
【００１１】
ここで、屋内負荷２１は、屋内負荷１４と共通であってもよく、または、異なってもよい。
蓄電池３６、３７としては、様々なものが用いられてもよく、例えば、鉛電池、あるいは、リチウムイオン電池が用いられてもよい。
【００１２】
ＰＶモジュール１１は、ＤＣ−ＤＣコンバーター３１と、ケーブルを介して接続されている。ＰＶモジュール１１は、系統切換回路３３と、ＰＩＤ専用回路を介して接続されている。
ＰＣＳ１３は、系統切換回路３３と、ケーブルを介して接続されている。
屋内負荷１４は、ＰＣＳ１３と、ケーブルを介して接続されている。
電流検出部１５は、屋内負荷１４と、ケーブルを介して接続されている。電流検出部１５は、充放電制御部４１と、ケーブルを介して接続されている。
系統１６は、電流検出部１５と、ケーブルを介して接続されている。
屋内負荷２１は、ＤＣ−ＡＣコンバーター４０と、ケーブルを介して接続されている。
【００１３】
ＤＣ−ＤＣコンバーター３１とＭＰＰＴ制御回路３２は、回路的に接続されており、一体の回路となっている。ＤＣ−ＤＣコンバーター３１は、系統切換回路３３と、ケーブルを介して接続されている。
充電回路３４は、系統切換回路３３と、ケーブルを介して接続されている。充電回路３４は、蓄電池充放電切換回路３５と、ケーブルを介して接続されている。
放電回路３８は、蓄電池充放電切換回路３５と、ケーブルを介して接続されている。
放電回路３８と昇圧回路３９は、回路的に接続されており、一体の回路となっている。昇圧回路３９は、系統切換回路３３と、ケーブルを介して接続されている。
蓄電池充放電切換回路３５は、蓄電池３６と、ケーブルを介して接続されている。蓄電池充放電切換回路３５は、蓄電池３７と、ケーブルを介して接続されている。
ＤＣ−ＡＣコンバーター４０は、ＰＣＳ１３と系統切換回路３３とを接続するケーブルに接続されている。
【００１４】
充放電制御部４１は、充電回路３４と、ケーブルを介して接続されている。充放電制御部４１は、昇圧回路３９と、ケーブルを介して接続されている。充放電制御部４１は、系統切換回路３３と、ケーブルを介して接続されている。充放電制御部４１は、蓄電池充放電切換回路３５と、ケーブルを介して接続されている。
なお、ケーブルを用いた接続の代わりに、回路的な接続が用いられてもよい。また、回路的な接続の代わりに、ケーブルを用いた接続が用いられてもよい。
【００１５】
ＰＶモジュール１１は、複数の太陽電池をモジュール化したものである。ＰＶモジュール１１は、例えば、複数の太陽電池をアレイ状に並べて構成される。ＰＶモジュール１１は、日射量に応じた直流電流を発生する。ＰＶモジュール１１は、発生した直流電流をＤＣ−ＤＣコンバーター３１に出力する。
ＤＣ−ＤＣコンバーター３１は、ＰＶモジュール１１から入力された直流電流をＤＣ−ＤＣ変換（例えば、昇圧の変換）して系統切換回路３３に出力する。この際、ＭＰＰＴ制御回路３２は、ＭＰＰＴ制御を行う。
系統切換回路３３は、ＤＣ−ＤＣコンバーター３１からの直流電流の入力、ＰＩＤ専用回路への直流電流の出力、充電回路３４への直流電流の出力、昇圧回路３９からの直流電流の入力、ＰＣＳ１３（およびＤＣ−ＡＣコンバーター４０）への直流電流の出力、について、それぞれの経路を切り換える。
【００１６】
充電回路３４は、系統切換回路３３から出力された直流電流を入力して、蓄電池充放電切換回路３５に出力する。
蓄電池充放電切換回路３５は、充電回路３４から入力された直流電流を蓄電池３６、３７に出力して当該蓄電池３６、３７を充電する動作と、蓄電池３６、３７から放電（出力）される直流電流を放電回路３８に出力する動作と、これらの充電と放電の両方を行う動作とを切り換える。
放電回路３８は、蓄電池充放電切換回路３５から出力された直流電流を入力して、昇圧回路３９に出力する。
昇圧回路３９は、放電回路３８から入力された直流電流を昇圧して、系統切換回路３３に出力する。
【００１７】
ＤＣ−ＡＣコンバーター４０は、系統切換回路３３から出力された直流電流を入力して、当該直流電流をＤＣ−ＡＣ変換して交流電流を取得し、取得された交流電流を屋内負荷２１に出力する。屋内負荷２１は、入力された交流電流により作動して、電力を消費する。
ＰＣＳ１３は、ＤＣ−ＡＣコンバーターの機能を有する。ＰＣＳ１３は、系統切換回路３３から出力された直流電流を入力して、当該直流電流をＤＣ−ＡＣ変換して交流電流を取得し、取得された交流電流を屋内負荷１４に出力する。屋内負荷１４は、入力された交流電流により作動して、電力を消費する。
【００１８】
電流検出部１５は、屋内負荷１４から出力された交流電流を検出する。電流検出部１５は、交流電流の検出結果の情報を充放電制御部４１に出力する。この交流電流の検出結果は、系統１６に供給された交流電流に対応する。
充放電制御部４１は、系統切換回路３３、充電回路３４、蓄電池充放電切換回路３５、放電回路３８および昇圧回路３９を制御する。充放電制御部４１は、電流検出部１５による交流電流の検出結果に基づいて制御を行ってもよい。
【００１９】
本実施形態に係る蓄電池システム１において切り換えることが可能な経路を説明する。
ＰＶモジュール１１による発電電力をＰＣＳ１３に出力する場合には、充放電制御部４１により行われる制御により、系統切換回路３３がＤＣ−ＤＣコンバーター３１から出力される直流電流をＰＣＳ１３に出力する経路（第１の経路という。）に切り換える。
ＰＶモジュール１１による発電電力を蓄電池３６、３７に蓄電する場合には、充放電制御部４１により行われる制御により、系統切換回路３３がＤＣ−ＤＣコンバーター３１から出力される直流電流を充電回路３４に出力する経路（第２の経路という。）に切り換える。
蓄電池３６、３７に蓄電された電力をＰＣＳ１３（およびＤＣ−ＡＣコンバーター４０）に出力する場合には、充放電制御部４１により行われる制御により、系統切換回路３３が昇圧回路３９から出力される直流電流をＰＣＳ１３（およびＤＣ−ＡＣコンバーター４０）に出力する経路（第３の経路という。）に切り換える。
蓄電池３６、３７に蓄電された電力をＰＩＤ専用回路を介してＰＶモジュール１１に出力する場合には、充放電制御部４１により行われる制御により、系統切換回路３３が昇圧回路３９から出力される直流電流をＰＩＤ専用回路を介してＰＶモジュール１１に出力する経路（第４の経路という。）に切り換える。
【００２０】
ここで、上記した第１の経路〜第４の経路は、任意の２つまたは３つ以上の経路が同時に切り換えられてもよい。
なお、系統切換回路３３からＰＣＳ１３およびＤＣ−ＡＣコンバーター４０への直流電力の出力に関し、一構成例として、系統切換回路３３とＰＣＳ１３との接続状態をオンオフする機能および系統切換回路３３とＤＣ−ＡＣコンバーター４０との接続状態をオンオフする機能を有するスイッチを備えてもよい。この構成では、系統切換回路３３から出力される直流電流をＰＣＳ１３とＤＣ−ＡＣコンバーター４０とのいずれか一方に出力することができる。なお、オンは接続状態を表しており、オフは非接続状態（接続されていない状態）を表している。
【００２１】
本実施形態に係る蓄電池システム１における運用手法を説明する。
本実施形態では、系統１６から蓄電池３６、３７への充電を行わずに、ＰＶモジュール１１から蓄電池３６、３７への充電を行う。
本実施形態では、蓄電池３６、３７の前段（ＰＶモジュール１１の側）にＤＣ−ＤＣコンバーター３１を備え、ＭＰＰＴ制御回路３２により蓄電池３６、３７への充電を制御し、放電回路３８および昇圧回路３９により蓄電池３６、３７からの放電を制御する。そして、ＰＣＳ１３を介して系統１６へ電力を送電する。
例えば、ＰＶモジュール１１の容量がＰＣＳ１３の容量より大きい構成が用いられてもよい。
【００２２】
以下で、本実施形態に係る蓄電池システム１において実行することが可能な各種のモードを説明する。
＜ピークカットモード＞
ピークカットモードでは、昼間にＰＶモジュール１１による発電電力を蓄電池３６、３７に蓄積する。そして、買電をピークカットしたい時間帯に、蓄電池３６、３７の放電を行い、買電のデマンド値の上昇を抑制する。買電をピークカットしたい時間帯としては、任意であってもよく、例えば、屋内負荷１４による電力消費量が多い時間帯、あるいは日射強度が弱い時間帯、あるいはこれらの両方を満たす時間帯である。
【００２３】
図２（Ａ）、図２（Ｂ）および図２（Ｃ）は、ピークカットモードを説明するための図である。
図２（Ａ）に示されるグラフは、横軸が時間を表しており、縦軸が消費電力を表わしている。そして、日負荷曲線１００１の一例を示してある。日消費電力のうち、所定の消費電力Ｐ１を超える部分（ここで、ピーク部分と呼ぶ。）を蓄電池３６、３７に蓄電された電力により補完する。これにより、当該ピーク部分の電力が蓄電池３６、３７に蓄電された電力によりピークカットされる。
図２（Ｂ）に示されるグラフは、横軸が時間を表しており、縦軸が太陽電池出力（電力）を表わしている。そして、太陽電池出力曲線１００２の一例を示してある。ピークカットモードでは、すべての太陽電池出力（ＰＶモジュール１１による発電電力）を蓄電池３６、３７の充電に使用する。
図２（Ｃ）に示されるグラフは、横軸が時間を表しており、縦軸が蓄電池３６、３７からの出力（電力の出力）を表わしている。そして、ピークカット用放電出力曲線１００３の一例を示してある。ピーク部分のときに補完する必要がある電力を蓄電池３６、３７から放電して系統１６に供給する。
【００２４】
＜出力安定化モード＞
出力安定化モードでは、昼間は、ＰＶモジュール１１による発電および蓄電池３６、３７への蓄電を行いながら、ＰＶモジュール１１による発電量が急激に低下する変動があったときに、蓄電池３６、３７からの放電を行って電力を補完する。発電量が急激に低下する変動としては、例えば、日射量が急激に減少した場合の変動がある。例えば、昼間に、安定化した電力を蓄電池３６、３７に蓄電しつつ、それに際して日照の変動が発生した時には、蓄電池３６、３７から放電して、ＰＣＳ１３の出力電力を安定化させることができる。
【００２５】
図３は、出力安定化モードを説明するための図である。
図３に示されるグラフは、横軸が時間を表わしており、縦軸が出力（ＰＶモジュール１１および蓄電池３６、３７を合わせた電力の出力）を表わしている。そして、太陽電池の出力曲線１１０１の一例、および蓄電池３６、３７による補完電力１１０２の一例を示してある。日射量の変動により発生する太陽光発電量の変動を抑えるために、その変動分だけ蓄電池３６、３７により放電する。
【００２６】
＜出力平滑化モード＞
出力平滑化モードでは、昼間におけるＰＶモジュール１１による発電量のうち一定の電力のみを系統１６に出力（送電）する。当該一定の電力を超えた発電電力については蓄電池３６、３７に蓄電する。日射量が減少したときには、一定時間、蓄電池３６、３７により放電する。
【００２７】
図４は、出力平滑化モードを説明するための図である。
図４に示されるグラフは、横軸が時間を表しており、縦軸が出力（電力の出力）を表わしている。そして、太陽電池の出力曲線１２０１の一例、および蓄電池３６、３７による放電の線１２０２の一例を示してある。系統１６に出力される電力量を一定値Ｐ２に一定化する。
【００２８】
具体例として、昼間の日照量が安定しているときにＰＶモジュール１１による発電電力により蓄電池３６、３７を充電し、さらに、ＰＶモジュール１１による発電電力により系統１６に電力を供給する。夜間には、ＰＶモジュール１１から系統１６に電力を供給せず、蓄電池３６、３７から系統１６に電力を供給する。昼間あるいは夜間における系統１６への電力供給の安定化により、例えば、電力会社の設備に対してかかる負荷を低減させることができる。
【００２９】
＜独立電源モード＞
独立電源モードでは、蓄電池３６、３７に蓄電された電力を停電時に自立電源として使用するために放電する。
【００３０】
図５は、独立電源モードを説明するための図である。
図５に示されるグラフは、横軸が時間を表しており、縦軸が出力（電力の出力）を表わしている。そして、昼間に蓄電池３６、３７に充電するすべての発電量の曲線１３０１、および任意の時間帯に蓄電池３６、３７から放電する電力量の線１３０２を示してある。当該時間帯としては、例えば、昼であってもよく、夜であってもよい。なお、昼間はＰＶモジュール１１による発電のみで自律運転が可能であることを想定した。
【００３１】
＜仮想独立電源モード＞
昼間にＰＶモジュール１１による発電電力により蓄電池３６、３７に蓄電し、消費電力を監視して、できるだけ買電しないように、蓄電池３６、３７からの放電量を制御する。
【００３２】
図６は、仮想独立電源モードを説明するための図である。
図６に示されるグラフは、横軸が時間を表しており、縦軸が出力（電力の出力）を表している。そして、太陽電池出力曲線１４０１の一例、および消費電力の曲線１４０２の一例を示してある。消費電力と買電力をモニターしながら蓄電池３６、３７からの放電電流を制御する。
【００３３】
具体例として、昼間の日照量が安定しているときにＰＶモジュール１１による発電電力により蓄電池３６、３７を充電し、さらに、ＰＶモジュール１１による発電電力により系統１６に電力を供給する。夜間には、ＰＶモジュール１１から系統１６に電力を供給せず、蓄電池３６、３７から系統１６に電力を供給する。昼間あるいは夜間における系統１６への電力供給の安定化により、例えば、電力会社の設備に対してかかる電力の変動負荷を低減させることができる。
【００３４】
＜ＰＩＤ回復モード＞
ＰＩＤ回復モードでは、所定のタイミングで、ＰＶモジュール１１に逆バイアス電圧を給電する。所定のタイミングとしては、例えば、ＰＶモジュール１１にＰＩＤが発生したことが検出されたタイミング、または、定期的なタイミングである。このような給電により、ＰＩＤにより劣化したＰＶモジュール１１を回復させることができる。
【００３５】
一構成例として、ＰＶモジュール１１とＰＣＳ１３との間に、ＤＣ−ＤＣコンバーターおよびＰＩＤ回復コントローラー切換器が並列に接続され、当該ＰＣＳ１３とＤＣ−ＤＣコンバーター（およびＰＩＤ回復コントローラー切換器）との間に蓄電池３６、３７が接続される構成を取り得る。ＰＩＤ回復コントローラー切換器は、ＰＩＤ回復を実行するか否かを切り換える。この構成の一例として、図１に示される構成において、ＤＣ−ＤＣコンバーター３１を用いるとともに、ＰＩＤ回復コントローラー切換器を系統切換回路３３に備える構成が用いられてもよい。
他の構成例として、蓄電池３６、３７にＤＣ−ＤＣコンバーターおよびＰＩＤ回復コントローラー切換器が並列に接続され、当該ＤＣ−ＤＣコンバーターとＰＣＳとが接続され、当該ＰＩＤ回復コントローラー切換器とＰＶモジュール１１とが接続される構成が用いられてもよい。
【００３６】
＜夜間シフトモード＞
夜間シフトモードでは、昼間はＰＶモジュール１１によるすべての発電電力を蓄電池３６、３７に蓄電し、夜間の任意の時間帯に蓄電池３６、３７を放電する。これにより、夜間の任意の時間帯に、蓄電池３６、３７からの電力を系統１６に供給して、売電することができる。例えば、昼間に在宅で電気使用量が多い家庭あるいは事業所などに適用されてもよい。
【００３７】
図７は、夜間シフトモードを説明するための図である。
図７に示されるグラフは、横軸が時間を表しており、縦軸が出力（電力の出力）を表わしている。そして、昼間に蓄電池３６、３７に充電するすべての発電量の曲線１５０１、および夜間の任意の時間帯に蓄電池３６、３７から放電する電力量の線１５０２を示してある。
【００３８】
以上のように、本実施形態に係る蓄電池システム１では、太陽電池（ＰＶモジュール１１）とパワーコンディショナ（ＰＣＳ１３）との間に蓄電池３６、３７を備えた。したがって、太陽光発電による電力を直流のまま蓄電することが可能であるため、放電ロスを抑制することができる。また、太陽電池から出力される直流電流を交流電流に変換せずに蓄電池３６、３７に伝送するため、システム構成の簡易化、システムの安定化、電気工事の簡易化を図ることができる。なお、太陽光発電はそもそも日照に依存して出力の変動を制御することができないため、本実施形態のように出力の安定化を図ることは重要である。本実施形態に係る蓄電池システム１では、インバーターの数を少なくすることが可能であり、システム構成の簡易化、システムの安定化、電気工事の簡易化を図ることができる。
また、本実施形態に係る蓄電池システム１では、太陽電池（ＰＶモジュール１１）とパワーコンディショナ（ＰＣＳ１３）との間に蓄電池３６、３７を備えるため、太陽電池による発電電力と、蓄電池３６、３７からの放電電力との一方または両方をＰＣＳ１３を介して系統１６に出力することが可能である。
このように、本実施形態に係る蓄電池システム１では、太陽電池を利用して効率的な蓄電を実現することができる。
なお、本実施形態に係る蓄電池システム１では、既存のＰＣＳを利用することも可能である。
【００３９】
また、本実施形態に係る蓄電池システム１では、太陽電池（ＰＶモジュール１１）と蓄電池３６、３７との間にＤＣ−ＤＣコンバーター３１を備えた。したがって、ＰＶモジュール１１と蓄電池３６、３７との間において、電圧を安定化させることができる。ＤＣ−ＤＣコンバーター３１により、電圧の変動を抑えて、日影などによる出力変動の影響を低減させることができる。
【００４０】
また、本実施形態に係る蓄電池システム１では、パワーコンディショナ（ＰＣＳ１３）と蓄電池３６、３７との間にＤＣ−ＡＣコンバーター４０を備えた。したがって、ＰＶモジュール１１による発電電力と、蓄電池３６、３７に蓄積された電力との一方または両方を負荷（本実施形態では、屋内負荷２１）に供給することができる。例えば、停電時にＰＣＳ１３が停止した場合においても、ＰＶモジュール１１による発電電力と、蓄電池３６、３７に蓄積された電力との一方または両方を負荷に供給することができる。
また、他の構成例として、太陽電池（ＰＶモジュール１１）と蓄電池３６、３７との間にＤＣ−ＡＣコンバーターを備えて負荷に接続してもよい。この構成においても、同じ効果を得ることができる。
また、他の構成例として、太陽電池（ＰＶモジュール１１）と蓄電池３６、３７との間にＤＣ−ＡＣコンバーターを備えて負荷に接続するとともに、パワーコンディショナ（ＰＣＳ１３）と蓄電池３６、３７との間にＤＣ−ＡＣコンバーターを備えて負荷に接続してもよい。
また、例えば、パワーコンディショナ（ＰＣＳ１３）に自立運転機能が搭載されている場合に、停電時、蓄電池３６、３７に蓄電された電力を使用して負荷に電力を供給することが可能である。一例として、停電時に、ＰＣＳ１３に設けられた所定のスイッチを自立運転に切り換えることで、ＰＣＳ１３にあるコンセントを用いて、蓄電池３６、３７に蓄電された電力を使用して負荷に電力を供給することが可能である。
【００４１】
また、本実施形態に係る蓄電池システム１では、蓄電池３６、３７から太陽電池（ＰＶモジュール１１）に電力を供給する。本実施形態では、蓄電池３６、３７からの直流電力を直流のままＰＶモジュール１１に供給することができて効率的である。これにより、ＰＶモジュール１１に発生するＰＩＤを低減して、ＰＶモジュール１１を回復させることができる。
【００４２】
ここで、本実施形態では、２つの蓄電池３６、３７について同時に充電あるいは放電を行うが、他の構成例として、一方の蓄電池３６の充電あるいは放電のタイミングと、他方の蓄電池３７の充電あるいは放電のタイミングが異なってもよい。また、一方の蓄電池３６の充電あるいは放電のタイミングと、他方の蓄電池３７の充電あるいは放電のタイミングを切り換えることが可能な構成が用いられてもよい。
また、本実施形態では、蓄電池３６、３７と制御回路とを一体型としたが、蓄電池３６、３７は必ずしも制御回路と一体型である必要はなく、他の構成例として、蓄電池３６、３７のみを別体として設置してもよい。
また、他の構成例として、１つの蓄電池のみを備える構成、または、３つ以上の蓄電池を備える構成が用いられてもよい。
【００４３】
また、図１の構成に関し、ＤＣ−ＤＣコンバーター３１およびＭＰＰＴ制御回路３２の部分を蓄電池設備１２の外側に備えることが可能である。具体例として、ＤＣ−ＤＣコンバーター３１およびＭＰＰＴ制御回路３２の部分を接続箱（蓄電池設備１２の外側の接続箱）に備えることも可能である。この場合、ＰＶモジュール１１、接続箱のＤＣ−ＤＣコンバーター３１（およびＭＰＰＴ制御回路３２）、蓄電池設備１２の系統切換回路３３の順に接続される。また、放電回路３８の代わりに、変動放電回路が用いられてもよい。
また、系統切換回路３３の代わりに、双方向の切り換えが可能な系統切換回路（系統双方向切換回路）が用いられてもよい。系統双方向切換回路は、例えば、ＤＣ−ＤＣコンバーター３１からの入力と、ＰＣＳ１３への出力に関し、これらの切り換えが可能である。
【００４４】
以上、本発明の実施形態について図面を参照して詳述したが、具体的な構成はこの実施形態に限られるものではなく、本発明の要旨を逸脱しない範囲の設計変更等も含まれる。
【符号の説明】
【００４５】
１…蓄電池システム、１１…ＰＶモジュール、１２…蓄電池設備、１３…ＰＣＳ、１４、２１…屋内負荷、１５…電流検出部、１６…系統、３１…ＤＣ−ＤＣコンバーター、３２…ＭＰＰＴ制御回路、３３…系統切換回路、３４…充電回路、３５…蓄電池充放電切換回路、３６、３７…蓄電池、３８…放電回路、３９…昇圧回路、４０…ＤＣ−ＡＣコンバーター
【図１】
2016103915.tif 000003
【図２】
2016103915.tif 000004
【図３】
2016103915.tif 000005
【図４】
2016103915.tif 000006
【図５】
2016103915.tif 000007
【図６】
2016103915.tif 000008
【図７】
2016103915.tif 000009
【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
太陽電池とパワーコンディショナとの間に、少なくとも２つの蓄電池と、前記蓄電池の充電の動作と前記蓄電池の放電の動作を切り換える蓄電池充放電切換回路と、を備え、
前記２つの蓄電池は前記蓄電池充放電切換回路に並列に接続され、
前記２つの蓄電池の充電または放電に関して前記２つの蓄電池のうちの一方のタイミングと他方のタイミングとを異ならせることが可能である、
蓄電池システム。
【請求項２】
前記２つの蓄電池の充電または放電に関して前記２つの蓄電池のうちの一方のタイミングと他方のタイミングを切り換えることが可能である、
請求項１に記載の蓄電池システム。
【請求項３】
系統に出力される電力量を一定値に一定化する態様で、前記蓄電池の充電および放電を実行することが可能である、
請求項１または請求項２のいずれか１項に記載の蓄電池システム。
【請求項４】
消費電力と買電力をモニターして、できるだけ買電しない態様で、前記蓄電池の放電の量を制御することが可能である、
請求項１から請求項３のいずれか１項に記載の蓄電池システム。
【請求項５】
太陽電池とパワーコンディショナとの間に、少なくとも２つの蓄電池と、前記蓄電池の充電の動作と前記蓄電池の放電の動作を切り換える蓄電池充放電切換回路と、を備え、前記２つの蓄電池は前記蓄電池充放電切換回路に並列に接続された蓄電池システムにおいて、
前記２つの蓄電池の充電または放電に関して前記２つの蓄電池のうちの一方のタイミングと他方のタイミングとを異ならせることが可能である、
蓄電方法。
【手続補正２】
【補正対象書類名】明細書
【補正対象項目名】０００６
【補正方法】変更
【補正の内容】
【０００６】
一態様として、太陽電池とパワーコンディショナとの間に、少なくとも２つの蓄電池と、前記蓄電池の充電の動作と前記蓄電池の放電の動作を切り換える蓄電池充放電切換回路と、を備え、前記２つの蓄電池は前記蓄電池充放電切換回路に並列に接続され、前記２つの蓄電池の充電または放電に関して前記２つの蓄電池のうちの一方のタイミングと他方のタイミングとを異ならせることが可能である、蓄電池システムである。
一態様として、蓄電池システムにおいて、前記２つの蓄電池の充電または放電に関して前記２つの蓄電池のうちの一方のタイミングと他方のタイミングを切り換えることが可能である、構成が用いられてもよい。
一態様として、蓄電池システムにおいて、系統に出力される電力量を一定値に一定化する態様で、前記蓄電池の充電および放電を実行することが可能である、構成が用いられてもよい。
一態様として、蓄電池システムにおいて、消費電力と買電力をモニターして、できるだけ買電しない態様で、前記蓄電池の放電の量を制御することが可能である、構成が用いられてもよい。
一態様として、太陽電池とパワーコンディショナとの間に、少なくとも２つの蓄電池と、前記蓄電池の充電の動作と前記蓄電池の放電の動作を切り換える蓄電池充放電切換回路と、を備え、前記２つの蓄電池は前記蓄電池充放電切換回路に並列に接続された蓄電池システムにおいて、前記２つの蓄電池の充電または放電に関して前記２つの蓄電池のうちの一方のタイミングと他方のタイミングとを異ならせることが可能である、蓄電方法である。